(57)【特許請求の範囲】
【請求項１】
中に相手コネクタを受容するように構成されるスロット（１２）を有するハウジング（１４）を備え、前記ハウジングは、信号嵌合セグメント（４２）と信号取付けセグメント（４４）を備える信号コンタクト（１６ａ）を保持し、前記信号嵌合セグメントは、前記相手コネクタとの係合のために前記スロット内に露出される信号嵌合インターフェース（５０）を有し、且つ前記ハウジングは、接地嵌合セグメント（４２）と接地取付けセグメント（４４）を備える接地コンタクト（１６ｂ）を保持し、前記接地嵌合セグメントは、前記相手コネクタとの係合のために前記スロット内に露出される接地嵌合インターフェース（５０）を有する、レセプタクルコネクタ（１０）であって、
接地バス（６０）が、前記接地コンタクトを互いに電気的に一体化し、
前記接地コンタクトと前記接地バスは、単一で一体の連続構造体として一体的に製造され、
前記信号コンタクト（１６ａ）は、差動対に配置され、
前記信号コンタクト（１６ａ）の前記信号取付けセグメント（４４）は、前記接地コンタクト（１６ｂ）の前記接地取付けセグメント（４４）と同じ平面に配置され、
前記信号取付けセグメント（４４）は、交互の前記差動対が前記接地バス（６０）の前記上方と前記下方に経路指定されるように前記接地バス（６０）から前記信号取付けセグメントをオフセットするジョグ（６４）を有する、
ることを特徴とするレセプタクルコネクタ。
【請求項２】
前記接地バス（６０ｂ）は、前記接地バスが前記接地嵌合セグメントを電気的に一体化するように、前記接地コンタクト（１６ｂ）の前記接地嵌合セグメント（４２）同士の間に延在する、
請求項１に記載のレセプタクルコネクタ。
【請求項３】
前記接地バス（６０ａ）は、前記接地バスが前記接地取付けセグメントを電気的に一体化するように、前記接地コンタクト（１６ｂ）の前記接地取付けセグメント（４４）同士の間に延在する、
請求項１に記載のレセプタクルコネクタ。
【請求項４】
前記接地バス（６０）は、前記接地コンタクト（１６ｂ）の前記接地嵌合セグメント（４２）を電気的に一体化する第１の接地バス（６０ｂ）であり、且つ、
前記レセプタクルコネクタは、前記接地コンタクトの前記接地取付けセグメント（４４）を電気的に一体化する第２の接地バス（６０ａ）を備え、
前記第２の接地バスと前記接地コンタクトは、単一で一体の連続構造体として一体的に製造される、
請求項１に記載のレセプタクルコネクタ。
【請求項５】
前記信号コンタクト（１６ａ）は、差動対に配置され、
前記信号コンタクトの第１の差動対が、前記接地バス（６０）の上方に経路指定され、且つ、
前記第１の差動対に隣接する前記信号コンタクトの第２の差動対が、前記接地バスの下方に経路指定される、
請求項１に記載のレセプタクルコネクタ。
【請求項６】
前記信号コンタクト（１６ａ）の前記信号嵌合セグメント（４２）は、前記接地コンタクト（１６ｂ）の前記接地嵌合セグメント（４２）と同じ平面に配置され、
前記信号嵌合セグメントは、前記接地バス（６０）から前記信号嵌合セグメントをオフセットするジョグ（６６）を有する、
請求項１に記載のレセプタクルコネクタ。
【発明の詳細な説明】
【技術分野】
【０００１】
本発明は、電気的に一体化される接地コンタクトを有するレセプタクルコネクタに関する。
【背景技術】
【０００２】
レセプタクルコネクタは、制限されるわけではないが、トランシーバアセンブリに対応するホスト装置内での使用のため、ジャンパーケーブルを接続するため等で回路基板に取り付けられることのような様々な用途における使用で知られている。レセプタクルコネクタは、典型的には、中に相手コネクタのプラグを受容するように構成されるスロットを含む。コンタクトの内の一列以上は、相手コネクタの対応するコンタクトとの係合のためにそのスロット内に配置される。これらのコンタクトは、信号コンタクトの差動対に配置され、接地コンタクトは、差動対同士の間をコンタクトの接地‐信号‐信号‐接地（Ｇ−Ｓ−Ｓ−Ｇ）パターンで延在する。
【０００３】
既知のレセプタクルコネクタに不利な点が無いわけではない。例えば、信号コンタクトは、接地コンタクトが電気的に一体化されていない場合、望ましくない共振周波数ノイズスパイクを示し得る。従って、接地バー等は、接地コンタクトを一緒に電気的に一体化するために使用されることができる。しかしながら、既知の接地バーは、レセプタクルコネクタと相手コネクタとの間の嵌合垂直力を制御することの困難さを生じ得る分離可能なインターフェースで接地コンタクトと係合する梁を有する接地コンタクトに接続される。さらに、接地バスと接地コンタクトとの間の分離可能インターフェースは、信頼できない可能性がある。
【発明の概要】
【発明が解決しようとする課題】
【０００４】
単純且つ信頼できる方法で電気的に一体化される接地コンタクトを有するレセプタクルコネクタの必要性がある。
【課題を解決するための手段】
【０００５】
本発明によれば、レセプタクルコネクタは、中に相手コネクタを受容するように構成されるスロットを有するハウジングを備える。このハウジングは、信号嵌合セグメントと信号取付けセグメントを備える信号コンタクトを保持する。信号嵌合セグメントは、相手コネクタとの係合のためのスロット内に露出される信号嵌合インターフェースを有する。ハウジングは、接地嵌合セグメントと接地取付けセグメントを備える接地コンタクトを有する。接地嵌合セグメントは、相手コネクタとの係合のためのスロット内に露出される接地嵌合インターフェースを有する。接地バスは、接地コンタクトを互いに電気的に一体化する。接地コンタクトと接地バスは、単一で一体の連続構造体として一体的に製造される。
【図面の簡単な説明】
【０００６】
本発明は、ここで、添付の図面を参照して例として記述される。
【０００７】
【図１】レセプタクルコネクタの一実施形態の正面の斜視図である。
【０００８】
【図２】図２に示されるレセプタクルコネクタの背面の斜視図である。
【０００９】
【図３】図１及び図２に示されるレセプタクルコネクタの一群のコンタクトのアセンブリの一実施形態の斜視図である。
【００１０】
【図４】図１及び図２に示されるレセプタクルコネクタのコンタクトのアセンブリの一実施形態の一部の斜視図である。
【００１１】
【図５】図３に示される一群のコンタクトのアセンブリの断面図である。
【００１２】
【図６】レセプタクルコネクタの他の実施形態の一部の分解された斜視図である。
【００１３】
【図７】図６に示されるレセプタクルコネクタの一群のコンタクトのアセンブリの一実施形態の斜視図である。
【００１４】
【図８】図７に示される一群のコンタクトのアセンブリの一部の斜視図である。
【００１５】
【図９】図７に示される一群のコンタクトのアセンブリの一部の平面図である。
【００１６】
【図１０】図７に示される一群のコンタクトのアセンブリの一部の立面図である。
【発明を実施するための形態】
【００１７】
図１は、レセプタクルコネクタ１０の一実施形態の正面の斜視図である。レセプタクルコネクタ１０は、相手コネクタ（図示せず）と嵌合してレセプタクルコネクタ１０と相手コネクタとの間に電気接続を確立するように構成される。具体的には、レセプタクルコネクタ１０は、中に相手コネクタのプラグ（図示せず）を受容するように構成されるスロット１２を含む。そのプラグは、制限するわけではないが、回路基板、電気コネクタ（例えば、回路基板の縁部に取り付けられる交叉マウントコネクタ）等の縁部のような任意の構造を有することができる。レセプタクルコネクタ１０は、任意の用途に使用されることができる。レセプタクルコネクタ１０の用途の非制限例は、制限するわけではないが、ケーブル（図示せず）等を接続するために、トランシーバアセンブリ（図示せず）のホスト装置（図示せず）内での使用のため等のために、回路基板（図示せず）に取り付けられることを含む。
【００１８】
レセプタクルコネクタ１０は、スロット１２を有するハウジング１４を含む。レセプタクルコネクタ１０は、一群のコンタクト１６と一群のコンタクト１８を含む。これらのコンタクト１６は、スロット１２内に延在し、且つ相手コネクタのプラグの第１の側に延在する対応するコンタクト（図示せず）と係合する。例えば、コンタクト１６は、相手コネクタの回路基板の第１の側に延在する対応するコンタクトパッドと係合することができる。また、コンタクト１８は、第１の側とは反対である相手コネクタのプラグの第２の側に延在する対応するコンタクト（図示せず）（例えば、相手コネクタの回路基板の反対の第２の側に延在する対応するコンタクトパッド）との係合のためにスロット１２内に延在する。コンタクト１６と１８と、相手コネクタの対応するコンタクトとの係合によって、レセプタクルコネクタ１０と相手コネクタとの間の電気接続が確立される。一群のコンタクト１６は、任意ではあるが、（例えば、キャリア５４がコンタクト１６の上に成形される場合に）レセプタクルコネクタ１０のコンタクトオーバーモールド成形サブアセンブリと考えられることができる。
【００１９】
レセプタクルコネクタ１０のハウジング１４は、前端部２０から後端部２２に延在し且つ底部側２４を含む。ハウジング１４の図示の実施形態では、ハウジング１４は、底部側２４で回路基板（図示せず）に取り付けられるように構成される。ハウジング１４の前端部２０は、スロット１２を含む。より詳細には、スロット１２は、前端部２０を貫通して後端部２２に向かってハウジング１４内に延在する。スロット１２は、任意ではあるが、ハウジング１４の両側部２６と２８の一方又は両方を貫通して延在する。
【００２０】
レセプタクルコネクタ１０のコンタクト１８は、ハウジング１４によって保持され且つ嵌合セグメント３０と取付けセグメント３２を含む。任意ではあるが、ハウジング１４は、中に対応するコンタクト１８を受容する複数の溝３４を含む。これらの溝３４は、これらのコンタクト１８を互いに対して所定位置（例えば、並列位置）に保持することを容易にする。コンタクト１８の嵌合セグメント３０は、列３６内に配置され且つスロット１２内に延在する。コンタクト１８の嵌合セグメント３０は、相手コネクタの対応するコンタクトと係合するためにスロット１２内に露出される嵌合インターフェース３８を含む。
【００２１】
任意ではあるが、図１に見られることができるように、コンタクト１８の取付けセグメント３２は、ハウジング１４の前端部２０に沿って延在している。コンタクト１８の図示の実施形態では、各コンタクト１８の取付けセグメント３２は、回路基板へ表面接続されるように構成される取付け脚部４０を含む。より詳細には、取付け脚部４０は、それらと電気接続中の回路基板上の対応するコンタクトパッド(図示せず)上に取り付けられるように構成される。他の実施形態では、コンタクト１８の内の一つ以上の取付けセグメント３２は、制限するわけではないが、回路基板のビア(図示せず)内に受容されるコンプライアントピン(取付け脚部４０の代わりに)を使用することのような表面取付け以外の他のタイプの取付けを使用して回路基板へ取付けられる。さらに、コンタクト１８の内の一つ以上の取付けセグメント３２は、ケーブル(図示せず)の対応する導体(図示せず)と接続するように構成されてもよい。
【００２２】
レセプタクルコネクタ１０は、任意の数のコンタクト１８を含むことができる。コンタクト１８の各々は、信号コンタクト又は接地コンタクト又は電力コンタクトであり得る。任意ではあるが、信号コンタクトとして使用される幾つかの或いは全てのコンタクト１８は、異なる信号を搬送する対内で各信号コンタクトと対に配置されることができ、従って、一つ以上の差動対を画定する。コンタクト１８の配置内で、一つ以上の接地コンタクトは、信号コンタクトの隣接する差動対同士の間に設けられることができる。コンタクト１８の任意の他のコンタクト配置が提供されてもよい。
【００２３】
レセプタクルコネクタ１０のハウジング１４は、コンタクト１６もまた保持する。コンタクト１６は、嵌合セグメント４２と取付けセグメント４４（図２参照）を含む。任意ではあるが、ハウジング１４は、中に対応するコンタクト１６の嵌合セグメント４２を受容する複数の溝４６を含む。これらの溝４６は、コンタクト１６の嵌合セグメント４２を互いに対して所定位置（例えば、並列位置）に保持することを容易にする。コンタクト１６の嵌合セグメント４２は、列４８内に配置され且つスロット１２内に延在する。コンタクト１６の嵌合セグメント４２は、相手コネクタの対応するコンタクトと係合するためにスロット１２内に露出される嵌合インターフェース５０を含む。
【００２４】
レセプタクルコネクタ１０は、任意の数のコンタクト１６を含むことができる。これらのコンタクト１６は、信号コンタクト１６ａと接地コンタクト１６ｂを含む。コンタクト１６の図示の実施形態では、信号コンタクト１６ａは、異なる信号を搬送する対内で各信号コンタクト１６ａと対に配置され、従って、一つ以上の差動対を画定する。コンタクト１６の配置内で、一つ以上の接地コンタクト１６ｂは、信号コンタクト１６ａの隣接する差動対同士の間に設けられる。コンタクト１６の任意の他のコンタクト配置が提供されてもよい。信号コンタクト１６ａの嵌合セグメント４２と取付けセグメント４４は、本明細書では、それぞれ、「信号嵌合セグメント」と「信号取付けセグメント」と呼ばれることができる。接地コンタクト１６ｂの嵌合セグメント４２と取付けセグメント４４は、ここでは、それぞれ、「接地嵌合セグメント」と「接地取付けセグメント」と呼ばれることができる。信号コンタクト１６ａと接地コンタクト１６ｂのそれぞれの嵌合インターフェース５０は、本明細書では、それぞれ、「信号嵌合インターフェース」と「接地嵌合インターフェース」と呼ばれることができる。
【００２５】
図２は、レセプタクルコネクタ１０のハウジング１４の後端部２２を示すレセプタクルコネクタ１０の背面の斜視図である。図２に見られることができるように、コンタクト１６の取付けセグメント４４は、ハウジング１４の後端部２２に沿って延在している。コンタクト１６の図示の実施形態では、各コンタクト１６の取付けセグメント４４は、回路基板に表面接続されるように構成される取付け脚部５２を含む。より詳細には、取付け脚部５２は、それと電気接続状態にある回路基板上の対応するコンタクトパッド（図示せず）に取り付けられるように構成される。他の実施形態では、コンタクト１６の内の一つ以上の取付けセグメント４４は、制限するわけではないが、回路基板のビア（図示せず）内に受容されるコンプライアントピン（取付け脚部５２の代わりに）を使用することのような、表面取付け以外の他のタイプの取付けを使用して回路基板に取り付けられる。さらに、コンタクト１６の内の一つ以上の取付けセグメント４４は、ケーブルの対応する導体を接続するように構成されることができる。
【００２６】
図３は、レセプタクルコネクタ１０（図１及び図２に示される）のコンタクト１６のアセンブリの一実施形態の斜視図である。コンタクト１６の図示の実施形態では、コンタクト１６は、例えば、図２に示されるように、ハウジング１４（図１及び図２に示される）によって保持される共通誘電体キャリア５４によって保持される。レセプタクルコネクタ１０の図示の実施形態では、キャリア５４は、コンタクト１６の取付けセグメント４４を保持するセグメント５６と、コンタクト１６の嵌合セグメント４２を保持するセグメント５８を含み、これらのセグメント５６と５８は、互いから分離されている（互いに接続されていない）。キャリア５４は、任意の数のセグメントを含むことができ、これらのセグメントの各々は、キャリア５４の一つ以上の他のセグメントに接続されてもよいし接続されなくてもよい。キャリア５４のセグメント５６は、図２に見られることができる。キャリア５４の図示の実施形態では、各セグメント５６及び５８は、それぞれ、それぞれのセグメント５６及び５８を形成する二つの片５６ａと５６ｂ及び５８ａと５８ｂを含むが、各セグメント５６及び５８は、任意の数の片を含むことができる。任意ではあるが、種々のセグメント５６と５８及び種々の片５６ａ，５６ｂ，５８ａ、及び５８ｂは、コンタクト１６に対してオーバーモールド成形される。他の実施形態では、レセプタクルコネクタ１０は、キャリア５４を含まず、且つコンタクト１６は、レセプタクルコネクタ１０のハウジング１４によって直接に保持される（例えば、図６に示されるレセプタクルコネクタ１１０の実施形態のコンタクト１１６）。
【００２７】
図３に見えられることができるように、信号コンタクト１６ａは、差動対で配置され、接地コンタクト１６ｂは、信号コンタクト１６ａの隣接する差動対同士の間に設けられる。コンタクト１６の図示の実施形態では、単一の接地コンタクト１６ｂは、コンタクト１６がコンタクト１６の接地‐信号‐信号‐接地‐信号‐信号‐接地（Ｇ−Ｓ−Ｓ−Ｇ−Ｓ−Ｓ−Ｇ）パターンを有するように信号コンタクト１６ａの隣接する差動対同士の間に設けられる。しかしながら、任意の数の接地コンタクト１６ｂが、信号コンタクト１６ａの隣接する差動対同士の間に延在してもよい。
【００２８】
図４は、コンタクト１６と１８のアセンブリの一実施形態の一部の斜視図である。コンタクト１６の内の幾つかのみとコンタクト１８の内の幾つかのみが、明瞭化のために、図４に示されている。キャリア５４（図２、図３、及び図５）は、明瞭化のために、図４におけるコンタクト１６から除去されている。図４に示されるように、一つ以上の接地バス６０は、接地コンタクト１６ｂを互いに電気的に一体化するために設けられる。換言すれば、各接地バス６０は、任意の一つの接地コンタクト１６ｂから全ての他の接地コンタクト１６ｂへの連続する電気経路を提供する。コンタクト１６の図示の実施形態では、二つの接地バス６０ａと６０ｂが設けられる。しかしながら、任意の数の接地バス６０が設けられることができる。幾つかの実施形態では、唯一つの接地バス６０（例えば接地バス６０ａ又は接地バス６０ｂ）が設けられる。
【００２９】
接地バス６０ａは、接地バス６０ａが接地コンタクト１６ｂの取付けセグメント４４を互いに電気的に一体化するように、接地コンタクト１６ｂの取付けセグメント４４同士の間に延在し、それによって、これらの取付けセグメント４４を相互接続する。換言すれば、接地バス６０ａは、任意の一つの接地コンタクト１６ｂの取付けセグメント４４から各隣接する接地コンタクト１６ｂの取付けセグメント４４へ延在する。図４には、接地コンタクト１６ｂの内の幾つかのみが示されているが、接地コンタクト１６ｂの図示の実施形態では、接地バス６０ａが接地コンタクト１６ｂの各々の取付けセグメント４４同士の間に延在して、それによって、これらの取付けセグメント４４を相互接続することが理解されるべきである。他の実施形態では、接地バス６０ａは、接地コンタクト１６ｂの内の幾つかのみの取付けセグメント４４同士の間に延在して、それによって、これらの取付けセグメント４４を相互接続する。
【００３０】
接地バス６０ａは、接地コンタクト１６ｂの取付けセグメント４４の長さの略中間点に延在するように示されているが、それに加えて又はその代替として、接地コンタクト１６ｂの取付けセグメント４４の長手に沿って任意の他の位置（単数又は複数）で延在してもよい。さらに、接地バス６０ａは、接地コンタクト１６ｂの取付けセグメント４４の長手に対して略垂直に延在するように示されているが、接地バス６０ａは、それに加えて又はその代替として、接地コンタクト１６ｂの取付けセグメント４４の長手に対して任意の他の角度で延在してもよい。接地バス６０ａは、本明細書では、「第１の」や「第２の」接地バスと呼ばれることができる。
【００３１】
接地バス６０ａは、レセプタクルコネクタ１０の電気性能を向上することができる。例えば、接地バス６０ａは、望ましくない共振周波数ノイズスパイクの発生を低減でき、信号ノイズの相殺や低減を可能とし、対同士間の信号スキューを向上でき、所定のインピーダンスの整合や提供等を可能とする。
【００３２】
接地バス６０ｂは、接地バス６０ｂが、接地コンタクト１６ｂの嵌合セグメント４２を互いに電気的に一体化するように、接地コンタクト１６ｂの嵌合セグメント４２同士の間に延在して、それによって、これらの嵌合セグメント４２を相互接続する（例えば、接地バス６０ｂは、任意の一つの接地コンタクト１６ｂの嵌合セグメント４２から各隣接する接地コンタクト１６ｂの嵌合セグメント４２に延在する）。接地コンタクト１６ｂの内の幾つかのみが図４に示されているが、接地コンタクト１６ｂの図示の実施形態では、接地バス６０ｂが、接地コンタクト１６ｂの各々の嵌合セグメント４２同士の間に延在して、それによって、これらの嵌合セグメント４２を相互接続することが理解されるべきである。他の実施形態では、接地バス６０ｂは、接地コンタクト１６ｂの内の幾つかのみの嵌合セグメント４２同士の間に延在して、それによって、これらの嵌合セグメント４２を相互接続する。
【００３３】
接地コンタクト１６ｂの嵌合セグメント４２の長手に沿う接地バス６０ｂの図示の位置に加えて又はそれの代替として、接地バス６０ｂは、接地コンタクト１６ｂの嵌合セグメント４２の長手に沿う任意の他の位置に延在してもよい。接地バス６０ｂは、接地コンタクト１６ｂの嵌合セグメント４２の長手に対して略垂直に延在することが示されているが、接地バス６０ｂは、それに加えて又はそれの代替として、接地コンタクト１６ｂの嵌合セグメント４２の長手に対して任意の他の角度で延在してもよい。接地バス６０ｂは、本明細書では、「第１の」や「第２の」接地バスと呼ばれることがある。
【００３４】
接地バス６０ｂは、レセプタクルコネクタ１０の電気性能を向上することができる。例えば、接地バス６０ｂは、望ましくない共振周波数ノイズスパイクの発生を低減でき、信号ノイズの相殺や低減を可能とし、対同士間の信号スキューを向上でき、所定のインピーダンスの整合や提供等を可能とする。
【００３５】
接地コンタクト１６ｂ及び接地バス６０ａと６０ｂは、接地コンタクト１６ｂ及び接地バス６０ａと６０ｂが、単一で一体のリードフレーム６２を画定するように、単一で一体の連続構造体として同じシート材料から一体的に製造される。連続構造体として同じシート材料から接地コンタクト１６ｂ及び接地バス６０ａと６０ｂとを一体的に製造するためのプロセスの一例は、シート材料から接地コンタクト１６ｂ及び接地バス６０ａと６０ｂを切断すること及びここで示されるリードフレーム６２の仕上げ形状に切断された構造体を成形することである。制限するわけではないが、打ち抜き工程、レーザ切断工程、水切断工程、プラズマ切断工程、切断ツール（例えば、のこ、刃等）を使用する切断工程、等のような任意の切断プロセス（単数又は複数）が、切断され且つ成形されたリードフレームとしてリードフレーム６２を製造するために使用されることができる。さらに、制限するわけではないが、圧縮成形工程、引っ張り成形工程、組合せ圧縮及び引っ張り成形工程、湾曲工程、せん断工程、打ち抜き工程、ダイ成形工程、鍛造工程、インデント工程、圧延工程、引き伸ばし工程、拡張工程、凹まし工程、深絞り工程、旋圧工程、フランジ成形工程、アップセット膨張工程等の任意の成形プロセス（単数又は複数）が、切断され且つ成形されたリードフレームとしてリードフレーム６２を製造するために使用されることができる。幾つかの実施形態では、リードフレーム６２は、一枚のシート材料から打ち抜かれた、打ち抜かれ且つ成形されたリードフレームである。リードフレーム６２が打ち抜かれ且つ成形されたリードフレームであるような実施形態では、任意の他のタイプの成形方法や任意の他の数の成形方法が、切断され且つ成形されたリードフレーム６２としてリードフレーム６２を製造するために前記打ち抜きプロセス（単数又は複数）に加えて使用されることができる。
【００３６】
例えば、切断及び成形プロセスを使用して、単一で一体の連続構造体として同じ一枚の材料から接地コンタクト１６ｂ及び接地バス６０ａと６０ｂを一体的に製造することは、接地コンタクト１６ｂと、接地バス６０ａと６０ｂとの間の分離可能インターフェースを排除し、それによって、レセプタクルコネクタ１０と相手コネクタとの間の嵌合法線力のより大きな制御を可能とすることができる。さらに、接地コンタクト１６ｂと、接地バス６０ａと６０ｂとの間の分離可能インターフェースを排除することによって、レセプタクルコネクタ１０の信頼性を向上することができる。
【００３７】
図５は、図３に示されるコンタクト１６のアセンブリの断面図である。ここで、図４及び図５を参照すると、図示の実施形態において、信号コンタクト１６ａの取付けセグメント４４は、図４及び図５に見られることができるように、接地コンタクト１６ｂの取付けセグメント４４と略同じ平面Ｐ１（図４には表示されていない）に配置されている。同様に、信号コンタクト１６ａの嵌合セグメント４２は、接地コンタクト１６ｂの嵌合セグメント４２と略同じ平面Ｐ２（図４には表示されていない）に配置されている。
【００３８】
信号コンタクト１６ａの取付けセグメント４４と嵌合セグメント４２は、信号コンタクト１６ａが接地バス６０ａと６０ｂに電気的に短絡することを防止するために、それぞれの接地バス６０ａと６０ｂからオフセットされる。具体的には、取付けセグメント４４と嵌合セグメント４２は、それぞれの接地バス６０ａと６０ｂの位置でそれぞれの取付けセグメント４４と嵌合セグメント４２のそれぞれの平面Ｐ１とＰ２からオフセットされている。コンタクト１６の図示の実施形態では、信号コンタクト１６ａの交互の差動対の取付けセグメント４４は、図４に最も良く示されるように、接地バス６０ａの上方と下方に経路を定められている。換言すれば、信号コンタクト１６ａの二つの隣接する差動対の内の一方の差動対の取付けセグメント４４は、接地バス６０ａの上方に経路を定められ、且つ二つの隣接する差動対の内の他方の差動対の取付けセグメント４４は、接地バス６０ａの下方に経路を定められる。図４と図５の両方に示されるように、接地バス６０の上方又は下方の差動対の経路指定は、信号コンタクト１６ａの取付けセグメント４４を接地バス６０ａからオフセットする、信号コンタクト１６ａの取付けセグメント４４のジョグ６４によって達成される。信号コンタクト１６ａの二つの隣接する差動対の各差動対は、本明細書では、「第１の」や「第２の」差動対と呼ばれることができる。
【００３９】
信号コンタクト１６ａの交互の差動対の取付けセグメント４４は、ここで示され且つ上述のように、接地バス６０ａの上方及び下方に経路を定められるが、レセプタクルコネクタ１０（図１と図２に示される）は、そのような交互パターンに制限されない。むしろ、信号コンタクト１６ａの取付けセグメント４４の全ては、接地バス６０ａの上方に経路を定められることができる、又は信号コンタクト１６ａの取付けセグメント４４の全ては、接地バス６０ａの下方に経路を定められることができる、又は信号コンタクト１６ａの取付けセグメント４４の異なるパターンが接地バス６０ａの上方と下方に経路を定められてもよい。接地バス６０ａの上方と下方の信号コンタクト１６ａの取付けセグメント４４の交互パターンは、制限されるわけではないが、信号コンタクト１６ａの隣接する差動対同士の間の電気的結合の発生を低減すること等によって、レセプタクルコネクタ１０の電気性能を向上する。
【００４０】
コンタクト１６の図示の実施形態では、信号コンタクト１６ａの交互の差動対の嵌合セグメント４２は、接地バス６０ｂの上方及び下方に経路を定められる。換言すれば、信号コンタクト１６ａの二つの隣接する差動対の内の第１の差動対の嵌合セグメント４２は、接地バス６０ｂの上方に経路が定められ、且つ信号コンタクト１６ａの二つの隣接する差動対の内の第２の差動対の嵌合セグメント４２は、接地バス６０ｂの下方に経路が定められる。接地バス６０ｂの上方又は下方のいずれかに対する差動対の経路指定は、信号コンタクト１６ａの嵌合セグメント４２を接地バス６０ｂからオフセットする、信号コンタクト１６ａの嵌合セグメント４２のジョグ６６によって達成される。
【００４１】
レセプタクルコネクタ１０は、ここで示され且つ上述されたように、信号コンタクト１６ａの交互の差動対の嵌合セグメント４２が接地バス６０ｂの上方又は下方に経路指定されるパターンに限定されない。むしろ、信号コンタクト１６ａの嵌合セグメント４２の全てが、接地バス６０ｂの上方に経路指定されることができる、又は信号コンタクト１６ａの嵌合セグメント４２の全てが、接地バス６０ｂの下方に経路指定されることができる、又は信号コンタクト１６ａの嵌合セグメント４２の異なるパターンが接地バス６０ｂの上方又は下方に経路指定されることができる。接地バス６０ｂの上方及び下方にある信号コンタクト１６ａの嵌合セグメント４２の交互パターンは、制限されるわけではないが、信号コンタクト１６ａの隣接する差動対同士の間の電気的結合の発生を低減すること等によって、レセプタクルコネクタ１０の電気性能を向上することができる。
【００４２】
図６は、レセプタクルコネクタ１１０の他の実施形態の一部の分解された斜視図である。レセプタクルコネクタ１１０は、スロット１１２を有するハウジング１１４を含む。レセプタクルコネクタ１１０は、一群のコンタクト１１６と他の一群のコンタクト（図示されていないが、例えば、図１に示されるコンタクト１８に類似する）を含む。コンタクト１１６は、ハウジング１１４によって直接に保持され、且つ嵌合セグメント１４２と取付けセグメント１４４を含む。コンタクト１１６の嵌合セグメント１４２は、相手コネクタ（図示せず）の対応するコンタクト（図示せず）との係合のため、スロット１１２に内に露出される嵌合インターフェース１５０を含む。一群のコンタクト１１６は、任意ではあるが、（例えば、キャリア（図示せず）がコンタクト１１６の上に成形される場合）レセプタクルコネクタ１１０のコンタクトオーバーモールド成形サブアセンブリと考えられてもよい。
【００４３】
レセプタクルコネクタ１１０は、任意の数のコンタクト１１６を含むことができる。コンタクト１１６は、信号コンタクト１１６ａと接地コンタクト１１６ｂを含む。コンタクト１１６の図示の実施形態では、信号コンタクト１１６ａは、異なる信号を搬送する一対内に各信号コンタクト１１６ａとの対で配置され、それによって、一つ以上の差動対を画定する。コンタクト１１６の配置内において、一つ以上の接地コンタクト１１６ｂが、信号コンタクト１１６ａの隣接する差動対同士の間に設けられる。コンタクト１１６の任意の他のコンタクト配置が提供されてもよい。信号コンタクト１１６ａの嵌合セグメント１４２と取付けセグメント１４４は、本明細書では、それぞれ、「信号嵌合セグメント」と「信号取付けセグメント」と呼ばれることができる。接地コンタクト１１６ｂの嵌合セグメント１４２と取付けセグメント１４４は、本明細書では、それぞれ、「接地嵌合セグメント」と「接地取付けセグメント」と呼ばれることができる。信号コンタクト１１６ａと接地コンタクト１１６ｂの嵌合インターフェース１５０は、本明細書では、それぞれ、「信号嵌合インターフェース」と「接地嵌合インターフェース」と呼ばれることができる。
【００４４】
図７は、レセプタクルコネクタ１１０（図６に示される）のコンタクト１１６のアセンブリの一実施形態の斜視図である。図８は、コンタクト１１６のアセンブリの一部の斜視図である。コンタクト１１６の内の幾つかのみが、明瞭化のために、図８において示される。ここで、図７と図８を参照すると、信号コンタクト１１６ａは、差動対に配置される。コンタクト１１６の図示の実施形態では、単一の接地コンタクト１１６ｂは、コンタクト１１６が、コンタクト１１６の接地‐信号‐信号‐接地‐信号‐信号‐接地（Ｇ−Ｓ−Ｓ−Ｇ−Ｓ−Ｓ−Ｇ）パターンを有するように、信号コンタクト１１６ａの隣接する差動対同士の間に設けられる。しかしながら、任意の数の接地コンタクト１１６ｂが、信号コンタクト１１６ａの隣接する差動対同士の間に延在してもよい。
【００４５】
一つ以上の接地バス１６０は、接地コンタクト１１６ｂを互いに電気的に一体化するために設けられる。換言すれば、各接地バス１６０は、任意の一つの接地コンタクト１１６ｂから全ての他の接地コンタクト１１６ｂへの連続する電気経路を提供する。コンタクト１１６の図示の実施形態では、二つの接地バス１６０ａと１６０ｂが設けられている。しかしながら、任意の他の数の接地バス１６０が設けられてもよい。幾つかの実施形態では、唯一つの接地バス１６０（例えば、接地バス１６０ａ又は接地バス１６０ｂ）が設けられる。
【００４６】
接地バス１６０ａは、接地バス１６０ａが接地コンタクト１１６ｂの取付けセグメント１４４を互いに電気的に一体化するように、接地コンタクト１１６ｂの取付けセグメント１４４同士の間に延在し、それによって、これらの取付けセグメント１４４を相互接続する。換言すれば、接地バス１６０ａは、任意の一つの接地コンタクト１１６ｂの取付けセグメント１４４から各隣接する接地コンタクト１１６ｂの取付けセグメント１４４へ延在する。接地コンタクト１１６ｂの図示の実施形態では、接地バス１６０ａは、図７に見られることができるように、接地コンタクト１１６ｂの各々の取付けセグメント１４４同士の間に延在して、それによって、これらの取付けセグメント１４４を相互接続する。他の実施形態では、接地バス１６０ａは、接地コンタクト１１６ｂの内の幾つかのみの取付けセグメント１４４同士の間を延在して、それによって、これらの取付けセグメント１４４を相互接続する。
【００４７】
接地コンタクト１１６ｂの取付けセグメント１４４の長手に沿う接地バス１６０ａの図示の位置に加えて又はその代替として、接地バス１６０ａは、接地コンタクト１１６ｂの取付けセグメント１４４の長手の任意の他の位置（単数又は複数）に延在してもよい。接地バス１６０ａの図示の実施形態では、接地バス１６０ａは、接地コンタクト１１６ｂの取付けセグメント１４４の長手に対して略垂直に延在する略真直ぐなバーである。しかしながら、接地バス１６０ａは、略真直ぐでなくてもよく、接地バス１６０ａは、（ここに示されている垂直な角度に）加えて又はその代替として、接地コンタクト１１６ｂの取付けセグメント１４４の長手に対して任意の他の角度で延在してもよい。接地バス１６０ａは、本明細書では、「第１の」や「第２の」接地バスと呼ばれてもよい。
【００４８】
接地バス１６０ａは、レセプタクルコネクタ１１０の電気性能を向上することができる。例えば、接地バス１６０ａは、望ましくない共振周波数ノイズスパイクの発生を低減でき、信号ノイズの相殺や低減を可能とし、対同士間の信号スキューを向上でき、所定のインピーダンスの整合や提供等を可能とする。
【００４９】
接地バス１６０ｂは、接地バス１６０ｂが接地コンタクト１１６ｂの嵌合セグメント１４２を互いに電気的に一体化するように、接地コンタクト１１６ｂの嵌合セグメント１４２同士の間に延在して、それによって、これらの嵌合セグメント４２を相互接続する（例えば、接地バス１６０ｂは、任意の一つの接地コンタクト１１６ｂの嵌合セグメント１４２から各隣接する接地コンタクト１１６ｂの嵌合セグメント１４２に延在する）。接地コンタクト１１６ｂの図示の実施形態では、接地バス１６０ｂは、接地コンタクト１１６ｂの各々の嵌合セグメント１４２同士の間に延在して、それによって、これらの嵌合セグメント１４２を相互接続する。しかしながら、他の実施形態では、接地バス１６０ｂは、幾つかのみの接地コンタクト１１６ｂの嵌合セグメント１４２同士の間に延在して、それによって、これらの嵌合セグメント１４２を相互接続する。
【００５０】
接地コンタクト１１６ｂの嵌合セグメント１４２の長手に沿う接地バス１６０ｂの図示の位置に加えて又はその代替として、接地バス１６０ｂは、接地コンタクト１１６ｂの嵌合セグメント１４２の長手に沿う任意の他の位置（単数又は複数）に延在してもよい。接地バス１６０ｂの図示の実施形態では、接地バス１６０ｂは、接地コンタクト１１６ｂの嵌合セグメント１４２の長手に略垂直に延在する略直線状のバーである。しかしながら、接地バス１６０ｂは、略直線状でなくてもよく、接地バス１６０ｂは、（ここに示されている垂直な角度に）加えて又はその代替として、接地コンタクト１１６ｂの嵌合セグメント１４２の長手に対して任意の他の角度で延在してもよい。接地バス１６０ｂは、本明細書では、「第１の」や「第２の」接地バスと呼ばれてもよい。
【００５１】
接地バス１６０ｂは、レセプタクルコネクタ１１０の電気性能を向上することができる。例えば、接地バス１６０ｂは、望ましくない共振周波数ノイズスパイクの発生を低減でき、信号ノイズの相殺や低減を可能とし、対同士間の信号スキューを向上でき、所定のインピーダンスの整合や提供等を可能とする。
【００５２】
接地コンタクト１１６ｂ及び接地バス１６０ａと１６０ｂは、接地コンタクト１１６ｂ及び接地バス１６０ａと１６０ｂが、単一で一体のリードフレーム１６２を画定するように、単一で一体の連続構造体として同じシート材料から一体的に製造される。接地コンタクト１１６ｂ及び接地バス１６０ａと１６０ｂを同じシート材料から連続構造体として一体的に製造するプロセスの一例は、接地コンタクト１１６ｂ及び接地バス１６０ａと１６０ｂを一枚のシート材料から切断する工程と切断された構造体をここで示されているリードフレーム１６２の仕上げ形状に成形する工程を含む。制限するわけではないが、打ち抜き工程、レーザ切断工程、水切断工程、プラズマ切断工程、切断ツール（例えば、のこ、刃等）を使用する切断工程等のような任意の切断プロセス（単数又は複数）が、切断され且つ成形されたリードフレームとしてリードフレーム１６２を製造するために使用されることができる。さらに、制限するわけではないが、圧縮成形工程、引っ張り成形工程、組合せ圧縮及び引っ張り成形工程、湾曲工程、せん断工程、打ち抜き工程、ダイ成形工程、鍛造工程、インデント（凹ませ）工程、圧延工程、引き伸ばし工程、拡張工程、凹ませ工程、深絞り工程、旋圧工程、フランジ成形工程、アップセット膨張工程等の任意の成形プロセス（単数又は複数）が、切断され且つ成形されたリードフレームとしてリードフレーム１６２を製造するために使用されることができる。幾つかの実施形態では、リードフレーム１６２は、一枚のシート材料から打ち抜かれた、打ち抜かれ且つ成形されたリードフレームである。リードフレーム１６２が打ち抜かれ且つ成形されたリードフレームであるような実施形態では、任意の他のタイプの成形方法や任意の他の数の成形方法が、切断され且つ成形されたリードフレーム１６２としてリードフレーム１６２を製造するために前記打ち抜きプロセス（単数又は複数）に加えて使用されることができる。
【００５３】
例えば、切断及び成形プロセスを使用して、単一で一体の連続構造体として同じ一枚の材料から接地コンタクト１１６ｂ及び接地バス１６０ａと１６０ｂを一体的に製造することは、接地コンタクト１１６ｂと、接地バス１６０ａと１６０ｂとの間の分離可能インターフェースを排除し、それによって、レセプタクルコネクタ１１０と相手コネクタとの間の嵌合法線力のより大きな制御を可能とすることができる。さらに、接地コンタクト１１６ｂと、接地バス１６０ａと１６０ｂとの間の分離可能インターフェースを排除することによって、レセプタクルコネクタ１１０の信頼性を向上することができる。
【００５４】
図９は、一群のコンタクト１１６のアセンブリの一部の平面図である。ここで、図８及び図９を参照すると、図示の実施形態では、信号コンタクト１１６ａの取付けセグメント１４４は、図８及び図９に見られることができるように、接地コンタクト１１６ｂの取付けセグメント１４４として、ほぼ同じ平面Ｐ３（図８では、表示されていない）に配置される。接地バス１６０ａは、信号コンタクト１１６ａが接地バス１６０ａと電気的短絡することを防止するために、信号コンタクト１１６ａの取付けセグメント１４４からオフセットされる。具体的には、接地バス１６０ａは、取付けセグメント１４４の平面Ｐ３からオフセットされる。図示の実施形態では、接地バス１６０ａは、矢印Ａの方向へ取付けセグメント１４４の平面Ｐ３からオフセットする。しかしながら、接地バス１６０ａは、それに加えて又はその代替として、矢印Ｂの方向へ取付けセグメント１４４の平面Ｐ３からオフセットしてもよい。
【００５５】
図１０は、一群のコンタクト１１６のアセンブリの一部の立面図である。ここで、図８と図９を参照すると、図示の実施形態では、信号コンタクト１１６ａの嵌合セグメント１４２は、図８と図１０に見られることができるように、接地コンタクト１１６ｂの嵌合セグメント１４２と略同じ平面Ｐ４（図８では、表示されていない）に配置される。接地バス１６０ｂは、信号コンタクト１１６ａが接地バス１６０ｂと電気的に短絡することを防止するために、信号コンタクト１１６ａの嵌合セグメント１４２からオフセットされる。より詳細には、接地バス１６０ｂは、嵌合セグメント１４２の平面Ｐ４からオフセットされる。図示の実施形態では、接地バス１６０ｂは、矢印Ｃの方向へ嵌合セグメント１４２の平面Ｐ４からオフセットされている。しかしながら、接地バス１６０ｂは、それに加えて又はその代替として、矢印Ｄの方向へ平面Ｐ４からオフセットしてもよい。
【００５６】
ここで記述された実施形態やここで図示された実施形態は、向上された電気性能を有するレセプタクルコネクタを提供することができる。ここで記述された実施形態やここで図示された実施形態は、例えば、少なくとも幾つかの既知のレセプタクルコネクタに比較して、レセプタクルコネクタと相手コネクタとの間の嵌合法線力のより大きな制御を可能とすることができる。ここで記述された実施形態やここで図示された実施形態は、より信頼できるレセプタクルコネクタを提供することができる。
【図１】
0006705647.tif 000002
【図２】
0006705647.tif 000003
【図３】
0006705647.tif 000004
【図４】
0006705647.tif 000005
【図５】
0006705647.tif 000006
【図６】
0006705647.tif 000007
【図７】
0006705647.tif 000008
【図８】
0006705647.tif 000009
【図９】
0006705647.tif 000010
【図１０】
0006705647.tif 000011